(57)【要約】【課題】ユーザごとに、ユーザが位置するエリアに応じてアクセス規制及び優先制御などのユーザ処理を行うこと。【解決手段】第１のコアネットワークノード（例：ＭＭＥ２００）は、端末装置ごとに予め設定され、サービス属性情報と該サービス属性情報が示す処理を行うエリアを示すエリア識別情報とが対応づけられた対応情報を、第２のコアネットワークノード（例：ＨＳＳ５００）から受信する第１通信処理部と、対応情報に基づいて、端末装置３００の制御を行う第２通信処理部とを備える。【選択図】図１
2019176245.tif 000002
【特許請求の範囲】
【請求項１】
第１のコアネットワークノードであるコアネットワークノードであって、
端末装置ごとに予め設定され、サービス属性情報と該サービス属性情報が示す処理を行うエリアを示すエリア識別情報とが対応づけられた対応情報を、第２のコアネットワークノードから受信する第１通信処理部と、
前記対応情報に基づいて、前記端末装置の制御を行う第２通信処理部と
を備えるコアネットワークノード。
【請求項２】
前記第２通信処理部は、前記第２のコアネットワークノードから受信した前記対応情報に、前記端末装置のＳ１ＡＰ−ＩＤ（S1 Application Protocol - Identifier）を付加して前記端末装置が位置する基地局に送信して、前記基地局に前記対応情報に基づく前記端末装置の制御をさせる請求項１に記載のコアネットワークノード。
【請求項３】
前記第２通信処理部は、前記端末装置からのアクセス要求又はＴｒａｃｋｉｎｇ  Ａｒｅａ更新要求を基地局から受信し、
前記第１通信処理部は、
前記端末装置からのアクセス要求又はＴｒａｃｋｉｎｇ  Ａｒｅａ更新要求に基づき、前記第２のコアネットワークノードに対して該端末装置についての前記対応情報を要求し、
該端末装置についての前記対応情報を前記第２のコアネットワークノードから受信する請求項１又は２に記載のコアネットワークノード。
【請求項４】
前記端末装置の制御は、前記エリア識別情報が示すエリア内に前記端末装置が位置する場合に、前記サービス属性情報が示す処理を行う請求項１乃至３のうちいずれか１項に記載のコアネットワークノード。
【請求項５】
前記端末装置の制御は、無線スケジューリングの優先度を変更する処理を含む請求項１乃至４のうちいずれか１項に記載のコアネットワークノード。
【請求項６】
前記コアネットワークノードは、ＭＭＥ(Mobility Management Entity)であり、前記第２のコアネットワークノードはＨＳＳ(Home Subscriber Server)である請求項１乃至５のうちいずれか１項に記載のコアネットワークノード。
【請求項７】
端末装置ごとに予め設定され、サービス属性情報と該サービス属性情報が示す処理を行うエリアを示すエリア識別情報とが対応づけられた対応情報と、前記端末装置のＳ１ＡＰ−ＩＤとを、コアネットワークノードから受信する第１通信処理部と、
前記対応情報に基づいて、前記端末装置の制御を行う第２通信処理部と
を備える基地局。
【発明の詳細な説明】
【技術分野】
【０００１】
本発明は、コアネットワークノード及び基地局に関連する装置に関する。
【背景技術】
【０００２】
３ＧＰＰ（Third  Generation  Partnership  Project）では、ＯＦＤＭＡ(Orthogonal Frequency Division Multiple Access：直交周波数分割多元接続)及びＳＣ−ＦＤＭＡ(Single Carrier Frequency Division Multiple Access：シングルキャリア周波数分割多元接続) を採用したＬＴＥ（Long  Term  Evolution）が規格化されている。
【０００３】
また、特許文献１には、Ｈｏｍｅ  ｅＮＢ等がＵＥ(User Equipment)から接続を試みるメッセージを受信した場合に、Ｈｏｍｅ  ｅＮＢ等はメッセージをＭＭＥ(Mobility Management Entity)に伝達し、ＭＭＥがｗｈｉｔｅｌｉｓｔに基づいてＵＥがＨｏｍｅ  ｅＮＢ等に接続可能であるか否かを決定する技術が開示されている。
【先行技術文献】
【特許文献】
【０００４】
【特許文献１】特表２０１２−５０３９２０号公報
【非特許文献】
【０００５】
【非特許文献１】３GPP TS29.272 v.15.2、2017年12月、pp.15-16
【発明の概要】
【発明が解決しようとする課題】
【０００６】
しかし、ＬＴＥでは、ユーザごとに、ユーザが位置するエリアに応じてアクセス規制及び優先制御などのユーザ制御処理を行う手順が規定されていない。また、５Ｇ（5th Generation）などＬＴＥ以外の通信規格に準拠したシステムにおいても同様の課題が生じ得る。
【０００７】
また、上記特許文献１に開示されている技術は、ユーザの接続許容可否を判断しているにすぎず、かつ、ＭＭＥが管理しているに過ぎない。
【０００８】
本発明の目的は、ユーザごとに、ユーザが位置するエリアに応じてアクセス規制及び優先制御などのユーザ処理を行うことが可能なコアネットワークノード及び基地局を提供することにある。
【課題を解決するための手段】
【０００９】
本発明のコアネットワークノードは、第１のコアネットワークノードであって、
端末装置ごとに予め設定され、サービス属性情報と該サービス属性情報が示す処理を行うエリアを示すエリア識別情報とが対応づけられた対応情報を、第２のコアネットワークノードから受信する第１通信処理部と、
上記対応情報に基づいて、上記端末装置の制御を行う第２通信処理部と、を備える。
【００１０】
本発明の基地局は、端末装置ごとに予め設定され、サービス属性情報と該サービス属性情報が示す処理を行うエリアを示すエリア識別情報とが対応づけられた対応情報と、上記端末装置のＳ１ＡＰ−ＩＤとを、コアネットワークノードから受信する第１通信処理部と、
上記対応情報に基づいて、上記端末装置の制御を行う第２通信処理部と、を備える。
【発明の効果】
【００１１】
本発明によれば、ユーザごとに、ユーザが位置するエリアに応じてアクセス規制及び優先制御などのユーザ処理を行うことが可能になる。なお、本発明により、当該効果の代わりに、又は当該効果とともに、他の効果が奏されてもよい。
【図面の簡単な説明】
【００１２】
【図１】本発明の実施形態に係るシステム１の概略的な構成の一例を示す説明図である。
【図２】第１の実施形態に係る基地局１００の概略的な構成の例を示すブロック図である。
【図３】第１の実施形態に係るＭＭＥ２００の概略的な構成の例を示すブロック図である。
【図４】第１の実施形態に係る端末装置４００の概略的な構成の例を示すブロック図である。
【図５】第１の実施形態に係るＨＳＳ５００の概略的な構成の例を示すブロック図である。
【図６】Tracking-Areaによるエリアの説明図である。
【図７】Update Location Answerの情報要素（ＩＥ）を説明するための説明図である。
【図８】第１の実施形態に係る第１の処理例の概略的な流れを説明するためのシーケンス図である。
【図９】第１の実施形態に係る第２の処理例の概略的な流れを説明するためのシーケンス図である。
【図１０】第２の実施形態に係るＭＭＥ６００の概略的な構成の例を示すブロック図である。
【図１１】第３の実施形態に係る基地局７００の概略的な構成の例を示すブロック図である。
【発明を実施するための形態】
【００１３】
以下、添付の図面を参照して本発明の実施形態を詳細に説明する。なお、本明細書及び図面において、同様に説明されることが可能な要素については、同一の符号を付することにより重複説明が省略され得る。
【００１４】
説明は、以下の順序で行われる。
１．本発明の実施形態の概要
２．第１の実施形態
２．１．システム１の構成
２．２．基地局１００の構成
２．３．ＭＭＥ２００の構成
２．４．端末装置３００の構成
２．５．ＨＳＳ５００の構成
２．６．技術的特徴
３．第２の実施形態
３．１．ＭＭＥ６００の構成
３．２．技術的特徴
４．第３の実施形態
４．１．基地局７００の構成
４．２．技術的特徴
５．他の実施形態
【００１５】
＜＜１．本発明の実施形態の概要＞＞
まず、本発明の実施形態の概要を説明する。
【００１６】
（１）技術的課題
ＬＴＥでは、ユーザごとに、ユーザが位置するエリアに応じてアクセス規制及び優先制御などのユーザ処理を行う手順が規定されてなく、このような処理を行うことができない。上記特許文献１に開示されている技術は、ユーザの接続許容可否を判断しているにすぎず、かつ、ＭＭＥが管理しているに過ぎない。
【００１７】
本発明の実施形態の目的は、ユーザごとに、ユーザが位置するエリアに応じてアクセス規制及び優先制御などのユーザ処理を行うことが可能なコアネットワークノード及び基地局を提供することにある。
【００１８】
（２）技術的特徴
本発明の実施形態では、コアネットワークノードは、第１のコアネットワークノードであって、
端末装置ごとに予め設定され、サービス属性情報と該サービス属性情報が示す処理を行うエリアを示すエリア識別情報とが対応づけられた対応情報を、第２のコアネットワークノードから受信する第１通信処理部と、
前記対応情報に基づいて、前記端末装置の制御を行う第２通信処理部と、を備える。
【００１９】
本発明の実施形態では、基地局は、端末装置ごとに予め設定され、サービス属性情報と該サービス属性情報が示す処理を行うエリアを示すエリア識別情報とが対応づけられた対応情報と、前記端末装置のＳ１ＡＰ−ＩＤとを、コアネットワークノードから受信する第１通信処理部と、
前記対応情報に基づいて、前記端末装置の制御を行う第２通信処理部と、を備える。
【００２０】
これにより、ユーザごとに、ユーザが位置するエリアに応じてアクセス規制及び優先制御などのユーザ処理を行うことが可能になる。
【００２１】
なお、上述した技術的特徴は本発明の実施形態の具体的な一例であり、当然ながら、本発明の実施形態は上述した技術的特徴に限定されない。
【００２２】
＜＜２．第１の実施形態＞＞
続いて、図１〜図９を参照して、本発明の第１の実施形態を説明する。
【００２３】
＜２．１．システム１の構成＞
図１を参照して、第１の実施形態に係るシステム１の構成の例を説明する。図１は、第１の実施形態に係るシステム１の概略的な構成の一例を示す説明図である。図１を参照すると、システム１は、基地局１００と、ＭＭＥ（第１のコアネットワークノード）２００と、ＨＳＳ(Home Subscriber Server、第２のコアネットワークノード)５００と、端末装置３００を含む。システム１は、複数の基地局１００を有することができるが、図１では２つの基地局１００を図示する。
【００２４】
例えば、システム１は、３ＧＰＰ（Third  Generation  Partnership  Project）の規格（standard）に準拠したシステムであってもよい。より具体的には、例えば、システム１は、ＬＴＥ／ＬＴＥ−Ａｄｖａｎｃｅｄの規格／仕様に準拠したシステムであってもよい。あるいは、システム１は、ＬＴＥ／ＬＴＥ−Ａｄｖａｎｃｅｄ及び／又はＳＡＥ（System  Architecture  Evolution）の規格／仕様、又は、第５世代（５Ｇ）／ＮＲ（New  Radio）の規格／仕様に準拠したシステムであってもよい。当然ながら、システム１は、これらの例に限定されない。
【００２５】
（１）基地局１００
基地局１００は、端末装置３００との無線通信を行うノードであり、換言すると無線アクセスネットワーク（Radio Access Network：ＲＡＮ）のノードである。例えば、基地局１００は、ｅＮＢであってもよく、５ＧにおけるｇＮＢ（generation Node B）であってもよく、３ＧにおけるＮｏｄｅ  Ｂ及び／又はＲＮＣ（Radio Network Controller）であってもよい。基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central Unit：ＣＵ）と呼ばれてもよく、上記第２のユニットは、分散ユニット（Distributed Unit：ＤＵ）又はアクセスユニット（Access Unit：ＡＵ）と呼ばれてもよい。別の例として、上記第１ユニットは、デジタルユニット（Digital Unit：ＤＵ）と呼ばれてもよく、上記第２ユニットは、無線ユニット（Radio Unit：ＲＵ）又はリモートユニット（Remote Unit：ＲＵ）と呼ばれてもよい。上記ＤＵ（Digital Unit）は、ＢＢＵ（Base Band Unit）であってもよく、上記ＲＵは、ＲＲＨ（Remote Radio Head）又はＲＲＵ（Remote Radio Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００２６】
（２）ＭＭＥ２００
ＭＭＥ２００は、基地局１００を収容する。ＭＭＥ２００は、モビリティ制御等を提供するノードである。
【００２７】
（３）端末装置３００
端末装置３００は、基地局１００との無線通信を行う。例えば、端末装置３００は、基地局１００のカバレッジエリア内に位置する場合に、基地局１００との無線通信を行う。例えば、端末装置３００は、ＵＥである。
【００２８】
（４）ＨＳＳ５００
ＨＳＳ５００は、例えば、端末装置３００に関する加入者情報を管理するサーバである。
【００２９】
具体的には、ＨＳＳ５００は、サービス属性情報と該サービス属性情報が示す処理を行うエリアを示すエリア識別情報とが対応づけられた対応情報を、端末装置３００ごとに記憶する。この対応情報は予め設定されることができる。対応情報については後に詳述する。
【００３０】
＜２．２．基地局１００の構成＞
まず、図２を参照して、第１の実施形態に係る基地局１００の構成の例を説明する。図２は、第１の実施形態に係る基地局１００の概略的な構成の例を示すブロック図である。図２を参照すると、基地局１００は、無線通信部１１０、ネットワーク通信部１２０、記憶部１３０及び処理部１４０を備える。
【００３１】
（１）無線通信部１１０
無線通信部１１０は、信号を無線で送受信する。例えば、無線通信部１１０は、端末装置３００からの信号を受信し、端末装置３００への信号を送信する。
【００３２】
（２）ネットワーク通信部１２０
ネットワーク通信部１２０は、ネットワークから信号を受信し、ネットワークへ信号を送信する。
【００３３】
（３）記憶部１３０
記憶部１３０は、基地局１００の動作のためのプログラム及びパラメータ、並びに様々なデータを、一時的に又は恒久的に記憶する。
【００３４】
（４）処理部１４０
処理部１４０は、基地局１００の様々な機能を提供する。処理部１４０は、第１通信処理部１４１及び第２通信処理部１４３を含む。なお、処理部１４０は、これらの構成要素以外の他の構成要素をさらに含み得る。すなわち、処理部１４０は、これらの構成要素の動作以外の動作も行い得る。第１通信処理部１４１及び第２通信処理部１４３の具体的な動作は、後に詳細に説明する。
【００３５】
例えば、処理部１４０（第１通信処理部１４１）は、ネットワーク通信部１２０を介して他のネットワークノード（例えば、ＭＭＥ２００）と通信する。例えば、処理部１４０（第２通信処理部１４３）は、無線通信部１１０を介して端末装置（例えば、端末装置３００）と通信する。
【００３６】
（５）実装例
無線通信部１１０は、アンテナ及び高周波（Radio Frequency：ＲＦ）回路等により実装されてもよい。ネットワーク通信部１２０は、ネットワークアダプタ又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他のプロセッサ等により実装されてもよい。第１通信処理部１４１及び第２通信処理部１４３は、同一のプロセッサにより実装されてもよく、別々に異なるプロセッサにより実装されてもよい。上記メモリ（記憶部１３０）は、このようなプロセッサ（チップ）内に含まれてもよい。
【００３７】
基地局１００は、プログラムを記憶するメモリと、当該プログラムを実行可能な１つ以上のプロセッサとを含んでもよく、当該１つ以上のプロセッサは、処理部１４０の動作（第１通信処理部１４１及び第２通信処理部１４３の動作）を行ってもよい。上記プログラムは、処理部１４０の動作（第１通信処理部１４１及び第２通信処理部１４３の動作）をプロセッサに実行させるためのプログラムであってもよい。
【００３８】
＜２．３．ＭＭＥ２００の構成＞
次に、図３を参照して、第１の実施形態に係るＭＭＥ２００の構成の例を説明する。図３は、第１の実施形態に係るＭＭＥ２００の概略的な構成の例を示すブロック図である。図３を参照すると、ＭＭＥ２００は、ネットワーク通信部２１０、記憶部２２０及び処理部２３０を備える。
【００３９】
（１）ネットワーク通信部２１０
ネットワーク通信部２１０は、ネットワークから信号を受信し、ネットワークへ信号を送信する。
【００４０】
（２）記憶部２２０
記憶部２２０は、ＭＭＥ２００の動作のためのプログラム及びパラメータ、並びに様々なデータを、一時的に又は恒久的に記憶する。
【００４１】
（３）処理部２３０
処理部２３０は、ＭＭＥ２００の様々な機能を提供する。処理部２３０は、第１通信処理部２３１及び第２通信処理部２３３を含む。なお、処理部２３０は、これらの構成要素以外の他の構成要素をさらに含み得る。すなわち、処理部２３０は、これらの構成要素の動作以外の動作も行い得る。第１通信処理部２３１及び第２通信処理部２３３の具体的な動作は、後に詳細に説明する。
【００４２】
例えば、処理部２３０は、ネットワーク通信部２１０を介して他のノードと通信する。具体的には、例えば、処理部２３０（第１通信処理部２３１）は、ネットワーク通信部２１０を介してＨＳＳ５００と通信する。また、例えば、処理部２３０（第２通信処理部２３３）は、ネットワーク通信部２１０を介して基地局１００と通信する。
【００４３】
（４）実装例
ネットワーク通信部２１０は、ネットワークアダプタ又はネットワークインタフェースカード等により実装されてもよい。記憶部２２０は、メモリ（例えば、不揮発性メモリ及び／若しくは揮発性メモリ）並びに／又はハードディスク等により実装されてもよい。処理部２３０は、プロセッサ等により実装されてもよい。第１通信処理部２３１及び第２通信処理部２３３は、同一のプロセッサにより実装されてもよく、別々に異なるプロセッサにより実装されてもよい。上記メモリ（記憶部２２０）は、このようなプロセッサ（チップ）内に含まれてもよい。
【００４４】
ＭＭＥ２００は、プログラムを記憶するメモリと、当該プログラムを実行可能な１つ以上のプロセッサとを含んでもよく、当該１つ以上のプロセッサは、処理部２３０の動作（第１通信処理部２３１及び第２通信処理部２３３の動作）を行ってもよい。上記プログラムは、処理部２３０の動作（第１通信処理部２３１及び第２通信処理部２３３の動作）をプロセッサに実行させるためのプログラムであってもよい。
【００４５】
＜２．４．端末装置３００の構成＞
次に、図４を参照して、第１の実施形態に係る端末装置３００の構成の例を説明する。図４は、第１の実施形態に係る端末装置３００の概略的な構成の例を示すブロック図である。図４を参照すると、端末装置３００は、無線通信部３１０、記憶部３２０及び処理部３３０を備える。
【００４６】
（１）無線通信部３１０
無線通信部３１０は、信号を無線で送受信する。例えば、無線通信部３１０は、基地局１００からの信号を受信し、基地局１００への信号を送信する。
【００４７】
（２）記憶部３２０
記憶部３２０は、端末装置３００の動作のためのプログラム及びパラメータ、並びに様々なデータを、一時的に又は恒久的に記憶する。
【００４８】
（３）処理部３３０
処理部３３０は、端末装置３００の様々な機能を提供する。処理部３３０は、受信処理部３３１及び送信処理部３３３を含む。なお、処理部３３０は、これらの構成要素以外の他の構成要素をさらに含み得る。即ち、処理部３３０は、これらの構成要素の動作以外の動作も行い得る。
【００４９】
例えば、処理部３３０（受信処理部３３１）は、無線通信部３１０を介して基地局１００から信号を受信する。また、例えば、処理部２３０（送信処理部３３３）は、無線通信部３１０を介して基地局１００へ信号を送信する。例えば、処理部２３０（送信処理部３３３）は、無線通信部３１０を介してアクセス要求又はＴＡ更新要求を、基地局１００を介してＭＭＥ２００へ送信する。
【００５０】
（４）実装例
無線通信部３１０は、アンテナ及び高周波（ＲＦ）回路等により実装されてもよい。記憶部３２０は、メモリ（例えば、不揮発性メモリ及び／若しくは揮発性メモリ）並びに／又はハードディスク等により実装されてもよい。処理部３３０は、ベースバンド（ＢＢ）プロセッサ及び／又は他のプロセッサ等により実装されてもよい。受信処理部３３１及び送信処理部３３３は、同一のプロセッサにより実装されてもよく、別々に異なるプロセッサにより実装されてもよい。上記メモリ（記憶部３２０）は、このようなプロセッサ（チップ）内に含まれてもよく、又は、上記１つ以上のプロセッサ外にあってもよい。一例として、処理部３３０は、ＳｏＣ（System  on  Chip）内で実装されてもよい。
【００５１】
端末装置３００は、プログラム（命令）を記憶するメモリと、当該プログラム（命令）を実行可能な１つ以上のプロセッサとを含んでもよい。当該１つ以上のプロセッサは、上記プログラムを実行して、処理部３３０の動作（受信処理部３３１及び送信処理部３３３の動作）を行ってもよい。上記プログラムは、処理部３３０の動作（受信処理部３３１及び送信処理部３３３の動作）をプロセッサに実行させるためのプログラムであってもよい。
【００５２】
＜２．５．ＨＳＳ５００の構成＞
次に、図５を参照して、第１の実施形態に係るＨＳＳ５００の構成の例を説明する。図５は、第１の実施形態に係るＨＳＳ５００の概略的な構成の例を示すブロック図である。図５を参照すると、ＨＳＳ５００は、ネットワーク通信部５１０、記憶部５２０及び処理部５３０を備える。
【００５３】
（１）ネットワーク通信部５１０
ネットワーク通信部５１０は、ネットワークから信号を受信し、ネットワークへ信号を送信する。
【００５４】
（２）記憶部５２０
記憶部５２０は、ＨＳＳ５００の動作のためのプログラム及びパラメータ、並びに様々なデータを、一時的に又は恒久的に記憶する。
【００５５】
（３）処理部５３０
処理部５３０は、ＨＳＳ５００の様々な機能を提供する。処理部５３０は、通信処理部５３１を含む。なお、処理部５３０は、これらの構成要素以外の他の構成要素をさらに含み得る。すなわち、処理部５３０は、これらの構成要素の動作以外の動作も行い得る。
【００５６】
例えば、処理部５３０は、ネットワーク通信部５１０を介して他のノードと通信する。具体的には、例えば、処理部５３０（通信処理部５３１）は、ネットワーク通信部５１０を介してＭＭＥ２００と通信する。
【００５７】
（４）実装例
ネットワーク通信部５１０は、ネットワークアダプタ又はネットワークインタフェースカード等により実装されてもよい。記憶部５２０は、メモリ（例えば、不揮発性メモリ及び／若しくは揮発性メモリ）並びに／又はハードディスク等により実装されてもよい。処理部５３０は、プロセッサ等により実装されてもよい。上記メモリ（記憶部５２０）は、通信処理部５３１のプロセッサ（チップ）内に含まれてもよい。
【００５８】
ＨＳＳ５００は、プログラムを記憶するメモリと、当該プログラムを実行可能な１つ以上のプロセッサとを含んでもよく、当該１つ以上のプロセッサは、処理部５３０の動作（通信処理部５３１の動作）を行ってもよい。上記プログラムは、処理部５３０の動作（通信処理部５３１の動作）をプロセッサに実行させるためのプログラムであってもよい。
【００５９】
＜２．６．技術的特徴＞
次に、図６〜図９を参照して、第１の実施形態の技術的特徴を説明する。
【００６０】
（１）対応情報
エリアごとに行う端末装置３００に対する処理(ユーザ処理)を示すサービス属性情報と、その処理を行うエリアを示すエリア識別情報を予め定義する。例えば、ＨＳＳ５００の記憶部５２０は、端末装置３００ごとに予め設定され、サービス属性情報と該サービス属性情報が示す処理を行うエリアを示すエリア識別情報とが対応づけられた対応情報を記憶する。換言すると、記憶部５２０には、端末装置３００の識別情報（例えばＩＭＳＩ：International Mobile Subscriber Identity）と、サービス属性情報と、エリア識別情報が対応して記憶されている。
【００６１】
−サービス属性情報
サービス属性情報は、エリアごとに行う端末装置３００に対する処理を示す。例えば、サービス属性情報は、アクセス規制処理及び／又は優先制御処理を示す識別情報である。サービス属性情報は、ユーザ処理情報と称されてもよい。
【００６２】
−エリア識別情報
ここで、エリアとはTracking-Area（ＴＡ）の集合体でもよい。図６はTracking-Areaによるエリアの説明図である。図の例では、例えば、３つのＴＡでひとつのユニット（ここでは、Small Area Unitという）を構成している。また、３つのSmall Area Unitでひとつのユニット（ここでは、Large Area Unitという）を構成している。ＴＡは、基地局１００が構成するセルに対応する。ひとつの基地局１００が複数のＴＡを提供する場合もあり、ひとつの基地局１００がひとつのＴＡを提供してもよい。換言すると、基地局１００とＴＡは１対多の関係があってもよいし、１対１の関係でもよい。エリア識別情報は、エリアを識別するための識別情報である。また、エリアは、緯度経度などの情報からエリアを定義してもよい。この場合、エリア識別情報は、例えば緯度経度の範囲等である。
【００６３】
（２）Update Location Answer
図７は、Update Location Answerの情報要素（ＩＥ）を説明するための説明図である。Update Location Answerについては、例えば、３GPP TS29.272 v.15.2に記載されている。本実施の形態においては、Update Location Answerに、エリア識別情報を含むエリアリスト（Area List）と、端末装置３００に対する制御（ユーザ処理）を示す処理インデックス（User Process Index）を追加する。エリアリストは、ＭＭＥ２００が予め定義された機能及び制御を実行するエリアを示し、予め設定される。処理インデックスは、ＭＭＥ２００又は端末装置３００が実行する、端末装置３００に対する制御（ユーザ処理）を示し、予め設定される。
【００６４】
（３）Ｓ１ＡＰ−ＩＤ
Ｓ１ＡＰ−ＩＤ（S1 Application Protocol Identifier）は、Ｓ１ＡＰ（S1 Application Protocol）における識別情報であり、基地局１００は、ＭＭＥ２００で管理するユーザ情報をＳ１ＡＰ−ＩＤで紐づけ（関連付け）する。
【００６５】
（４）処理の流れ
−第１の処理例
図８を参照して、第１の実施形態に係る第１の処理例を説明する。図８は、第１の実施形態に係る第１の処理例の概略的な流れを説明するためのシーケンス図である。
【００６６】
ＭＭＥ２００（第２通信処理部２３３）は、端末装置３００からアクセス要求又はＴＡ更新要求を、基地局１００を介して受信する（Ｓ１０１）。ＭＭＥ２００（第１通信処理部２３１）は、Update Location Requestを用いてＨＳＳ５００にユーザ情報を要求する（Ｓ１０３）。ここで、Update Location Requestは、上記端末装置３００の識別情報（例えばＩＭＳＩ）を含む。なお、Update Location Requestについては、例えば3GPP TS29.272 V15.2.0にも記載されている。
【００６７】
ＨＳＳ５００（通信処理部５３１）は、Update Location Requestを受信すると、Update Location Requestに含まれる端末装置３００の識別情報に基づき、サービス属性情報とエリア識別情報が対応づけられた対応情報を記憶部５２０から抽出する。ＨＳＳ５００（通信処理部５３１）は、抽出した対応情報を含むUpdate Location AnswerをＭＭＥ２００に通知する（Ｓ１０５）。なお、Update Location Answerには他の適宜のユーザ情報が含まれてもよい。
【００６８】
ＭＭＥ２００（第２通信処理部２３３）は、端末装置３００が、エリア識別情報（Area List）が示すエリアに位置するか判断する。エリア識別情報（Area List）が示すエリアに位置すると端末装置３００により判断された場合、ＭＭＥ２００（第２通信処理部２３３）は、Ｓ１ＡＰ−ＩＤなどのユーザと紐づいたＩＤと、サービス属性情報（User Process Index）を基地局１００に通知する（Ｓ１０７）。これにより、基地局１００は、端末装置３００と、端末装置３００に対する制御を紐づける事ができる。なお、ＭＭＥ２００（第２通信処理部２３３）は、エリア識別情報をさらに基地局１００に通知してもよい。なお、ＭＭＥ２００は、Update Location Answerに、Ｓ１ＡＰ−ＩＤなどのユーザと紐づいたＩＤを付加して基地局１００に送信してもよい。
【００６９】
基地局１００（第２通信処理部１４３）は、端末装置３００に対して、サービス属性情報が示す制御を行う（Ｓ１０９）。例えば、基地局１００は、端末装置３００に対してアクセス規制及び優先制御処理などを行う。アクセス規制においては、例えば、端末装置３００のアクセスを許可又は拒否するが、これに限定されない。優先制御処理においては、例えば、スケジューリング優先度を変更する（Ｓ１１１）が、これに限定されない。これにより、端末装置３００が位置するエリアごとにユーザ処理を行う機能を提供する事ができる。
【００７０】
一方、エリア識別情報（Area List）が示すエリアに位置しないと端末装置３００により判断された場合、ＭＭＥ２００は処理を終了し、次のアクセス要求等を待機する。
【００７１】
このような構成及び処理により、例えば、ユーザがサービス享受できるエリアをユーザの料金体系ごとに設定し、エリアに応じて無線スケジューリングの優先度を変更するなどできる。
【００７２】
なお、上述した処理の流れの例は、あくまで概略的なものであり、当然ながら、第１の実施形態では、上述したステップＳ１０１〜Ｓ１１１以外の処理及び送受信も行われ得る。
【００７３】
−第２の処理例
図９を参照して、第１の実施形態に係る第２の処理例を説明する。図９は、第１の実施形態に係る第２の処理例の概略的な流れを説明するためのシーケンス図である。
【００７４】
第２の処理例におけるステップＳ２０１〜Ｓ２０５は、上述の第１の処理例におけるステップＳ１０１〜Ｓ１０５と同様なため、説明を省略する。ＭＭＥ２００は、端末装置３００が、エリア識別情報（Area List）が示すエリアに位置するか判断し、エリア識別情報（Area List）が示すエリアに位置する場合、ＭＭＥ２００が端末装置３００の制御を行う。例えば、ＭＭＥ２００は、端末装置３００に対してアクセス規制及び優先制御処理などを行う（Ｓ２０７）。優先制御処理においては、例えば、ＡＭＢＲ（Aggregate Maximum Bit Rate）／ＧＢＲ（Guaranteed Bit Rate）を変更する（Ｓ２０９−１）が、これに限定されない。また、アクセス規制においては、例えば、端末装置３００のアクセスを許可又は拒否するが（Ｓ２０９−２）、これに限定されない。これにより、端末装置３００が位置するエリアごとにユーザ処理を行う機能を提供する事ができる。
【００７５】
このような構成及び処理により、例えば、ユーザがサービス享受できるエリアをユーザの料金体系ごとに設定し、エリアに応じて無線スケジューリングの優先度を変更するなどできる。
【００７６】
＜＜３．第２の実施形態＞＞
続いて、図１０を参照して、本発明の第２の実施形態を説明する。上述した第１の実施形態は、具体的な実施形態であるが、第２の実施形態は、より一般化された実施形態である。
【００７７】
＜３．１．ＭＭＥ６００の構成＞
（１）構成
図１０は、第２の実施形態に係るＭＭＥ６００の概略的な構成の例を示すブロック図である。図１０を参照すると、ＭＭＥ６００は、第１通信処理部６１０と、第２通信処理部６２０とを備える。
【００７８】
例えば、第１通信処理部６１０は、ＨＳＳ５００と通信する。第１通信処理部６１０は、端末装置３００ごとに予め設定され、サービス属性情報と該サービス属性情報が示す処理を行うエリアを示すエリア識別情報とが対応づけられた対応情報を、ＨＳＳ（第２のコアネットワークノード）５００から受信する。
【００７９】
また、例えば、第２通信処理部６２０は、ネットワーク通信部２１０を介して基地局１００と通信する。第２通信処理部６２０は、上記対応情報に基づいて、端末装置３００の制御を行う。
【００８０】
（２）実装例
第１通信処理部６１０及び第２通信処理部６２０は、プロセッサ等により実装されてもよい。第１通信処理部６１０及び第２通信処理部６２０は、同一のプロセッサにより実装されてもよく、別々に異なるプロセッサにより実装されてもよい。
【００８１】
ＭＭＥ６００は、プログラムを記憶するメモリと、当該プログラムを実行可能な１つ以上のプロセッサとを含んでもよく、当該１つ以上のプロセッサは、第１通信処理部６１０及び第２通信処理部６２０の動作を行ってもよい。上記プログラムは第１通信処理部２３１及び第２通信処理部２３３の動作をプロセッサに実行させるためのプログラムであってもよい。
【００８２】
＜３．２．技術的特徴＞
第２の実施形態の技術的特徴は、第１の実施の形態と同様であるため説明を省略する。
【００８３】
＜＜４．第３の実施形態＞＞
続いて、図１１を参照して、本発明の第３の実施形態を説明する。上述した第１の実施形態は、具体的な実施形態であるが、第３の実施形態は、より一般化された実施形態である。
【００８４】
＜４．１．基地局７００の構成＞
（１）構成
図１１は、第３の実施形態に係る基地局７００の概略的な構成の例を示すブロック図である。図１０を参照すると、基地局７００は、第１通信処理部７１０と、第２通信処理部７２０とを備える。
【００８５】
例えば、第１通信処理部７１０は、他のネットワークノード（例えば、ＭＭＥ２００）と通信する。第１通信処理部７１０は、端末装置ごとに予め設定され、サービス属性情報と該サービス属性情報が示す処理を行うエリアを示すエリア識別情報とが対応づけられた対応情報と、端末装置３００のＳ１ＡＰ−ＩＤとを、ＨＳＳ（第２のコアネットワークノード）５００から受信する。
【００８６】
また、例えば、第２通信処理部６２０は、端末装置（例えば、端末装置３００）と通信する。第２通信処理部６２０は、上記対応情報に基づいて、端末装置３００の制御を行う。
【００８７】
（２）実装例
第１通信処理部７１０及び第２通信処理部７２０は、ベースバンド（Baseband：ＢＢ）プロセッサ及び／又は他のプロセッサ等により実装されてもよい。第１通信処理部７１０及び第２通信処理部７２０は、同一のプロセッサにより実装されてもよく、別々に異なるプロセッサにより実装されてもよい。
【００８８】
基地局１００は、プログラムを記憶するメモリと、当該プログラムを実行可能な１つ以上のプロセッサとを含んでもよく、当該１つ以上のプロセッサは、第１通信処理部７１０及び第２通信処理部７２０の動作を行ってもよい。上記プログラムは、第１通信処理部７１０及び第２通信処理部７２０の動作をプロセッサに実行させるためのプログラムであってもよい。
【００８９】
＜４．２．技術的特徴＞
第３の実施形態の技術的特徴は、第１の実施の形態と同様であるため説明を省略する。
【００９０】
＜＜５．他の実施形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【００９１】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【００９２】
また、本明細書において説明した基地局の構成要素（例えば、第１通信処理部及び／又は第２通信処理部）を備える装置（例えば、基地局を構成する複数の装置（又はユニット）のうちの１つ以上の装置（又はユニット）、又は上記複数の装置（又はユニット）のうちの１つのためのモジュール）が提供されてもよい。本明細書において説明した端末装置の構成要素（例えば、受信処理部、及び／又は送信処理部）を備える装置（例えば、端末装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  recording medium）が提供されてもよい。当然ながら、このような装置、モジュール、方法、プログラム、及びコンピュータに読み取り可能な非一時的記録媒体も本発明に含まれる。
【００９３】
上記実施形態の一部又は全部は、以下の付記のようにも記載され得るが、以下には限られない。
【００９４】
（付記１）
第１のコアネットワークノードであるコアネットワークノードであって、
端末装置ごとに予め設定され、サービス属性情報と該サービス属性情報が示す処理を行うエリアを示すエリア識別情報とが対応づけられた対応情報を、第２のコアネットワークノードから受信する第１通信処理部と、
前記対応情報に基づいて、前記端末装置の制御を行う第２通信処理部と
を備えるコアネットワークノード。
【００９５】
（付記２）
前記第２通信処理部は、前記第２のコアネットワークノードから受信した前記対応情報に、前記端末装置のＳ１ＡＰ−ＩＤ（S1 Application Protocol - Identifier）を付加して前記端末装置が位置する基地局に送信して、前記基地局に前記対応情報に基づく前記端末装置の制御をさせる付記１に記載のコアネットワークノード。
【００９６】
（付記３）
前記第２通信処理部は、前記端末装置からのアクセス要求又はＴｒａｃｋｉｎｇ  Ａｒｅａ更新要求を基地局から受信し、
前記第１通信処理部は、
前記端末装置からのアクセス要求又はＴｒａｃｋｉｎｇ  Ａｒｅａ更新要求に基づき、前記第２のコアネットワークノードに対して該端末装置についての前記対応情報を要求し、
該端末装置についての前記対応情報を前記第２のコアネットワークノードから受信する付記１又は２に記載のコアネットワークノード。
【００９７】
（付記４）
前記端末装置の制御は、前記エリア識別情報が示すエリア内に前記端末装置が位置する場合に、前記サービス属性情報が示す処理を行う付記１乃至３のうちいずれか１項に記載のコアネットワークノード。
【００９８】
（付記５）
前記端末装置の制御は、無線スケジューリングの優先度を変更する処理を含む付記１乃至４のうちいずれか１項に記載のコアネットワークノード。
【００９９】
（付記６）
前記コアネットワークノードは、ＭＭＥ(Mobility Management Entity)であり、前記第２のコアネットワークノードはＨＳＳ(Home Subscriber Server)である付記１乃至５のうちいずれか１項に記載のコアネットワークノード。
【０１００】
（付記７）
端末装置ごとに予め設定され、サービス属性情報と該サービス属性情報が示す処理を行うエリアを示すエリア識別情報とが対応づけられた対応情報と、前記端末装置のＳ１ＡＰ−ＩＤとを、コアネットワークノードから受信する第１通信処理部と、
前記対応情報に基づいて、前記端末装置の制御を行う第２通信処理部と
を備える基地局。
【０１０１】
（付記８）
端末装置ごとに予め設定され、サービス属性情報と該サービス属性情報が示す処理を行うエリアを示すエリア識別情報とが対応づけられた対応情報を、コアネットワークノードから受信し、
前記対応情報に基づいて、前記端末装置の制御を行う端末制御方法。
【０１０２】
（付記９）
端末装置ごとに予め設定され、サービス属性情報と該サービス属性情報が示す処理を行うエリアを示すエリア識別情報とが対応づけられた対応情報を、コアネットワークノードから受信するステップと、
前記対応情報に基づいて、前記端末装置の制御を行うステップと
をコンピュータに実行させるプログラム。
【０１０３】
（付記１０）
端末装置ごとに予め設定され、サービス属性情報と該サービス属性情報が示す処理を行うエリアを示すエリア識別情報とが対応づけられた対応情報を、コアネットワークノードから受信するステップと、
前記対応情報に基づいて、前記端末装置の制御を行うステップと
をコンピュータに実行させるプログラムを記録したコンピュータ読み取り可能な記録媒体。
【産業上の利用可能性】
【０１０４】
ユーザごとに、ユーザが位置するエリアに応じてアクセス規制及び優先制御などのユーザ処理を行うことができる。
【符号の説明】
【０１０５】
１  システム
１００、７００  基地局
２００、６００  ＭＭＥ
３００  端末装置
５００  ＨＳＳ
１４１、２３１  第１通信処理部
１４３、２３３  第２通信処理部
３３１  受信処理部
３３３  送信処理部
５３１  通信処理部
【図１】
2019176245.tif 000003
【図２】
2019176245.tif 000004
【図３】
2019176245.tif 000005
【図４】
2019176245.tif 000006
【図５】
2019176245.tif 000007
【図６】
2019176245.tif 000008
【図７】
2019176245.tif 000009
【図８】
2019176245.tif 000010
【図９】
2019176245.tif 000011
【図１０】
2019176245.tif 000012
【図１１】
2019176245.tif 000013